(57)【要約】【課題】綿布製シューズの洗浄労力の軽減を図る。【解決手段】洗浄するシューズａを収容できるように形成したボックス１の一端に、シューズａを出し入れできる開口２と、これを密閉できる開閉蓋３を設け、また、ボックスの他端には、排出口４とこれに連通して排出筒５を突設する。そして、排出筒５には目板７を設けるとともに、排出筒５に被せる開閉キャップを設ける。また、ボックス１内には小径の洗浄ボールが多数投入されている。シューズａの洗浄は、ボックス１内にシューズａと洗剤および水が入れられ、開閉蓋３と開閉キャップ６で開口２と排出口４を密閉した状態で洗浄器を手動で振り動かし、あるいは洗浄器を洗濯機に投入して転動、揺動させ、自動的に行うことができる。【選択図】        図１
2004148039.tif 000002
【特許請求の範囲】
【請求項１】
シューズを収容できるように形成されたボックスに、シューズを出し入れする開口およびこの開口を密閉できる開閉蓋を設け、また、ボックスの端部に、目板を設けた排水口と、この排水口を密閉できる開閉キャップを設けるとともに、ボックス内に小径の洗浄ボールを多数収容したことを特徴とする、シューズ洗浄器。
【請求項２】
請求項１記載のシューズ洗浄器において、ボックスの側部に継手部材を設け、このシュ−ズ洗浄器どうしを、互いにそれらの継手部材を介して着脱自在に連結したことを特徴とするものである。
【発明の詳細な説明】
【０００１】
【産業上の利用分野】
本発明は、綿布製運動靴（スニーカーシューズ、キャンパスシューズ）の汚れを洗浄するのに使用する、シューズ洗浄器に関するものである。
【０００２】
【従来の技術】
スニーカーシューズ（キャンパスシューズ）は綿布製運動靴の総称語となっているが、このスニーカーシューズのような綿布製の靴では、汚れが落ちにくいため、従来は、洗浄の都度ブラシなどを使って長時間こすり洗いを行うようにしている。
【０００３】
特許文献等先行技術文献については、記載すべき先行技術文献情報がない。
【０００４】
【発明が解決しようとする課題】
上記のように、綿布製の靴では、汚れが布目に入り込むので、ブラシ類を手に持って長い間こすり洗いをしなければ汚れを落とすことができないため、その洗浄には大変多くの労力と時間を要しているのが現状である。
【０００５】
本発明は、かかる事情にかんがみなされたもので、ボックス内にスニーカーシューズ等を収容し、洗浄用ボ−ル、洗剤、水を投入して、ボックスを振り動かすことにより、汚れたシューズを少ない労力で短時間で洗浄できるようにし、または、上記ボックスを洗濯機に投入して、自動的に洗浄できるようにした、シューズの洗浄器を提供しようとするものである。
【０００６】
【課題を解決するための手段】
上記の目的を達成するための本発明の構成について、添付の図面を参照して説明すると、請求項１のシューズ洗浄器は、シューズを収容できるように形成されたボックス１に、シューズを出し入れする開口２およびこの開口を密閉できる開閉蓋３を設け、また、ボックス１の端部に、目板７を設けた排水口４と、この排水口４を密閉できる開閉キャップ６を設けるとともに、ボックス内に小径の洗浄ボール１０を多数収容したことを特徴とするものである。
【０００７】
また、請求項２のシューズ洗浄器は、請求項１記載のシューズ洗浄器において、ボックス１の側部に継手部材１１を設け、このシュ−ズ洗浄器どうしを、互いにそれらの継手部材１１，１１を介して着脱自在に連結したことを特徴とするものである。
【０００８】
【発明の実施の形態】
以下、本発明の実施の態様について、添付の図面を参照して説明する。図１〜図３は本発明の一実施態様を示し、図４〜図６は同他の実施態様を示したものである。
【０００９】
図１〜図３において、１はシューズａを収容するボックスで、透明性のあるプラスチック等の材料で断面ほぼ四角形の筒状に形成されており、その前端（一端）には、シューズａの出し入れおよび水、洗剤を入れる開口部２が設けられ、開閉蓋３を螺着等の手段により密閉できるようになっている。また、ボックス１の後端（他端）には、排出孔４が設けられ、この排出孔４に連通して、外ネジを有する排出筒５が突設されている。そして、排出筒５には、これを開閉する開閉キャップ６が、外ネジに螺合して着脱自在に設けられているとともに、排出筒５内には、後述する洗浄ボ−ル１０の流出を防止するための多孔板や網板等の目板７が着脱自在に設けられている。
【００１０】
また、ボックス１の側部には、必要に応じ、ボックス１を人手によって振り動かすための把手８が突設されており、ボックス１内には、５〜６ｍｍ径程度のプラスチック製等洗浄ボール（ビーズ）１０が多数（例えば８００〜１，０００個）が投入されている。なお、図中９は開閉キャップ６に付随したパッキングである。
【００１１】
上記のシューズ洗浄器において、洗浄するシューズａは、ボックス１の開閉蓋３をはずしてボックス１内に収容する。その際、シューズａの底部に付着している泥等はブラシ等を使って落しておくことが必要である。また、ボックス１内には水および洗剤を投入し、開閉蓋３を取り付け、ボックス１を密閉する。水はボックス１の１／２〜１／３程度の容量とするのがよい。
【００１２】
シューズａの洗浄作業は、人が把手をつかんで振り動かす手動で行ってもよく、また、これを洗濯機に投入し、洗濯機の回転作用を利用して自動で行うこともできる。このような手動による振り動かしや自動による揺動、転動作用によって、ボックス１内の洗浄ボール１０がシューズａの内、外を打撃し、洗剤の融け込んだ水が激しく流動することにより、シューズａに付着した汚れが効果的に分離、除去されて行くことになる。
【００１３】
洗浄作業を終えた次には、洗濯機に入れて洗浄した場合はシューズ洗浄器を洗濯機から取り出し、開閉キャップ６を取りはずし、排出筒５を下に向けてやれば、ボックス１内の汚水が排出されることになる。その際、ボックス１内にある洗浄ボール１０は、排水筒５に設けた目板７によって外部への排出が防がれることになる。その後は、排水筒５から水を注入して開閉キャップを取り付け、さきの作業と同様に、手動または自動によりすすぎ洗いを行い、開閉キャップを取りはずして排水した後、開閉蓋３を取りはずして、ボックス１内よりシューズａを取り出すのである。このすすぎ洗いは、シューズ洗浄器を使用しないで、洗浄後のシューズをボックス１から取り出して、水を噴射するなどして行うこともできる。
【００１４】
洗浄の対称となるシューズは大人物から子供物まで、その大きさは様々であるが、小さなシューズを洗浄する場合は、シューズがボックス１内で動かないように、ボックス１内にシューズの動きを止める仕切りや、開閉蓋３の内側とシューズとの間に詰め物等をかませる等の手段を施すのがよい。なお、上記開口２、排出口４とは別に洗剤や水をいれるための、開閉自在な供給口を別途に設けることもできる。
【００１５】
次に、他の実施態様について説明する。この実施態様は、シューズ洗浄器の一対を連結し、１足のシューズが同時に洗浄できるようにしたものである。すなわち、図４〜図６に示すように、上記のシューズ洗浄器の構成に加え、ボックス１の一側部に、ボックスの長手方向に沿って延長する断面ほぼＣ形をなす雄型の継手部材１１が突設されており、その一端部は開放され、他端部は閉じられている。そして、この継手部材１１を突設した２個のシュ−ズ洗浄器を、図５に示すように、互いに前後を反対方向にし、継手部材１１を接合させ、両継手部材１１，１１に跨って係合する、断面ほぼ蝶形をなす雄型の結合部材１２を用意し、これを両継手部材１１，１１に挿入（図５の矢印）することにより連結し、２個のシュ−ズ洗浄器を一体化して振り動かし、あるいは洗濯機に投入し、１足のシュ−ズが同時に洗浄できるようにするのである。なお、シュ−ズ洗浄器どうしの着脱手段は、上記のものに限定されるものではなく、従来公知の着脱手段を採用することができる。
【００１６】
【発明の効果】
以上説明したように、本発明によれば、シューズを収容する洗浄器のボックス内に、シューズに打撃を加える小径の洗浄ボールを多数投入し、ボックスを手動で振り動かすか、洗濯機に入れて自動で転動、揺動させられるようにしたので、汚れたシューズは、振り動かし等による、洗剤入りの洗浄水の流動と洗浄ボールのシューズへの打撃作用によって、効率よく洗浄することができ、従来のブラシを使ったこすり洗いと比べ、大巾に労力の軽減が図れ、特に洗濯機に入れて洗浄を行えることができ、この場合はシューズ洗浄に要する無駄な時間と労力が解消される。
【００１７】
そして、ボックスには、密閉できる大きな開閉蓋が設けられていてシューズの出し入れが容易であるとともに、ボックスの端部には目板を備えた排出口と密閉できる開閉キャップが設けられているので、洗浄後のボックス内の汚水を排出するにあたって、ボックス内の洗浄ボールの流動が防止でき、使用に便利である。
【００１８】
また、結合部材を設けた洗浄器では、２個の洗浄器を連結し、１足のシューズを１回の操作で洗浄することができ、汚れたシューズの洗浄が一層能率よく行える。
【図面の簡単な説明】
【図１】本発明の一実施態様を示す側断面図である。
【図２】同半部切截平面図である。
【図３】同正面図である。
【図４】本発明の他の実施態様を示す側面図である。
【図５】シューズ洗浄器どうしを連結した状態を示す平面図である。
【図６】（イ）図５のＡ−Ａ線の端面図である。
【符号の説明】
１  シューズ洗浄器
２  開口部
３  開閉蓋
４  排出口
５  排出筒
６  開閉キャップ
７  目板
８  把手
洗浄ボール
１１  継手部材
１２  結合部材
【図１】
2004148039.tif 000003
【図２】
2004148039.tif 000004
【図３】
2004148039.tif 000005
【図４】
2004148039.tif 000006
【図５】
2004148039.tif 000007
【図６】
2004148039.tif 000008